(57)【要約】【課題】  携帯電話機を用いて商品情報を閲覧する場合に、ユーザにとって商品情報を見やすくすることができる画像形成装置を提供することを目的とする。【解決手段】  携帯電話機１００を用いて、商品に付されているＱＲコード３００やＲＦＩＤタグ４００からＵＲＬを読み取り、赤外線通信によりデジタル複合機１に送信する。デジタル複合機１を操作して、受信したＵＲＬに基づいてインターネットＮ１上のサーバ２００へアクセスすることにより、当該商品に対応する商品情報２０１を受信し、用紙に印刷する。このようにして印刷された用紙で商品情報２０１を閲覧することにより、携帯電話機１００の表示画面に商品情報２０１を表示させる場合と比べて、ユーザにとって商品情報２０１を見やすくすることができる。【選択図】  図１
2008017221.tif 000002
【特許請求の範囲】
【請求項１】
ネットワークを介してサーバに接続されるとともに、携帯電話機と通信可能な画像形成装置であって、
商品情報を保持しているネットワーク上のサーバを指定するためのサーバ指定情報を上記携帯電話機から受信するサーバ指定情報受信手段と、
上記サーバ指定情報に基づいて、ネットワークを介して上記サーバから上記商品情報を取得する商品情報取得手段と、
取得した商品情報を記録媒体に記録する画像形成手段とを備えたことを特徴とする画像形成装置。
【請求項２】
ユーザ操作に基づいて商品の発注を指示する発注指示手段と、
上記サーバが発注者を識別するために必要としている発注者情報を上記携帯電話機から受信する発注者情報受信手段と、
発注指示に基づいて、上記発注者情報を上記サーバへ送信する発注者情報送信手段とを備えたことを特徴とする請求項１に記載の画像形成装置。
【請求項３】
上記発注者情報を受信した上記サーバによって生成される受注情報を受信する受注情報受信手段を備え、
上記画像形成手段は、受信した受注情報を記録媒体に記録することを特徴とする請求項２に記載の画像形成装置。
【請求項４】
上記サーバ指定情報を受信する際に、上記携帯電話機から識別情報を受信する識別情報受信手段と、
上記識別情報を含む信号を上記携帯電話機に送信して上記発注者情報を要求する発注者情報要求手段とを備えたことを特徴とする請求項２に記載の画像形成装置。
【発明の詳細な説明】
【技術分野】
【０００１】
本発明は、画像形成装置に係り、さらに詳しくは、携帯電話機との間で通信を行うことができる画像形成装置に関する。
【背景技術】
【０００２】
ネットワークに接続可能な携帯電話機の中には、ＱＲコード(Quick Response code)などの二次元コードをカメラで読み取り、その二次元コードをデコードすることができるようになっているものがある。このような携帯電話機を用いることにより、例えば、ある商品に付されている二次元コードを読み取り、その二次元コードに基づいて指定されるネットワーク上のＵＲＬ(Uniform Resource Locator)へアクセスして、当該商品に関する商品情報を受信することが可能になる。
【０００３】
この種の携帯電話機を用いた商品情報閲覧方法として、複数の商品に付されている二次元コードをそれぞれ読み取り、読み取った情報のいずれかを選択することにより商品リストを生成し、その商品リストのデータをネットワークを介してサーバへ送信するような技術が提案されている（例えば、特許文献１）。これにより、選択した所望の商品に関する情報をサーバから受信し、それらの商品情報を表示部に表示させて閲覧することができる。
【０００４】
このような技術を用いれば、商品を販売している店舗に赴いたときに、各種商品に付されている二次元コードをそれぞれ携帯電話機で読み取っておき、自宅に帰った後などに、読み取った情報のいずれかを選択することにより商品リストを生成し、サーバへ送信することができる。これにより、サーバから受信した所望の商品情報を自宅などの店舗外でゆっくりと閲覧することができる。
【特許文献１】特開２００５−３３２３２９号公報
【発明の開示】
【発明が解決しようとする課題】
【０００５】
しかしながら、上記従来技術のように、商品情報を携帯電話機の表示画面に表示させて閲覧する場合には、表示画面が小さいため商品情報が見づらいという問題がある。すなわち、パーソナルコンピュータの表示画面などと比べて非常に小さい携帯電話機の表示画面に、文字や画像を含む商品情報を表示させようとした場合には、それらの文字や画像を縮小表示させる必要があり、ユーザにとって商品情報が見づらくなってしまう。
【０００６】
なお、携帯電話機の表示画面をスクロールさせることができるような構成を採用することにより、文字や画像を縮小させることなく表示画面に表示させることも考えられる。しかし、この場合には、表示画面をスクロールさせる操作を行う必要があるため、操作が煩雑になるといった問題が生じる。
【０００７】
本発明は、上記の事情に鑑みてなされたものであり、携帯電話機を用いて商品情報を閲覧する場合に、ユーザにとって商品情報を見やすくすることができる画像形成装置を提供することを目的とする。また、本発明は、商品情報に基づいて商品を発注する際のセキュリティが向上された画像形成装置を提供することを目的とする。さらに、本発明は、商品情報に基づいて商品を発注する際の利便性が向上された画像形成装置を提供することを目的とする。
【課題を解決するための手段】
【０００８】
第１の本発明による画像形成装置は、ネットワークを介してサーバに接続されるとともに、携帯電話機と通信可能な画像形成装置であって、商品情報を保持しているネットワーク上のサーバを指定するためのサーバ指定情報を上記携帯電話機から受信するサーバ指定情報受信手段と、上記サーバ指定情報に基づいて、ネットワークを介して上記サーバから上記商品情報を取得する商品情報取得手段と、取得した商品情報を記録媒体に記録する画像形成手段とを備えて構成される。
【０００９】
このような構成によれば、携帯電話機で取得したサーバ指定情報を画像形成装置へ送信することにより、対応するサーバから画像形成装置に商品情報を受信し、その商品情報を記録媒体に記録することができる。したがって、記録媒体に記録された商品情報を閲覧することにより、携帯電話機の表示画面に商品情報を表示させる場合と比べて、ユーザにとって商品情報を見やすくすることができる。
【００１０】
第２の本発明による画像形成装置は、上記構成に加えて、ユーザ操作に基づいて商品の発注を指示する発注指示手段と、上記サーバが発注者を識別するために必要としている発注者情報を上記携帯電話機から受信する発注者情報受信手段と、発注指示に基づいて、上記発注者情報を上記サーバへ送信する発注者情報送信手段とを備えて構成される。
【００１１】
このような構成によれば、発注指示の際に発注者情報をサーバへ送信することにより、サーバにおいて発注者を識別することができる。したがって、サーバにおいて発注者を識別した上で受注することができるので、セキュリティが向上する。
【００１２】
第３の本発明による画像形成装置は、上記構成に加えて、上記発注者情報を受信した上記サーバによって生成される受注情報を受信する受注情報受信手段を備え、上記画像形成手段が、受信した受注情報を記録媒体に記録するように構成される。
【００１３】
このような構成によれば、発注者情報を受信したサーバが受注を行った後、その受注情報を画像形成装置へ送信することにより、その受注情報を記録媒体に記録することができる。したがって、記録媒体に記録された受注情報を閲覧することにより、ユーザが自らの発注内容を確認することができるので、利便性が向上する。
【００１４】
第４の本発明による画像形成装置は、上記構成に加えて、上記サーバ指定情報を受信する際に、上記携帯電話機から識別情報を受信する識別情報受信手段と、上記識別情報を含む信号を上記携帯電話機に送信して上記発注者情報を要求する発注者情報要求手段とを備えて構成される。
【００１５】
このような構成によれば、携帯電話機から受信した識別情報を含む信号を画像形成装置から携帯電話機へ送信して、識別情報が一致した場合にのみ携帯電話機から画像形成装置へ発注者情報を送信させることができる。したがって、サーバ指定情報を送信した携帯電話機とは異なる携帯電話機から発注者情報が画像形成装置へ送信されるのを防止できるので、セキュリティが向上する。
【発明の効果】
【００１６】
本発明によれば、記録媒体に記録された商品情報を閲覧することにより、携帯電話機の表示画面に商品情報を表示させる場合と比べて、ユーザにとって商品情報を見やすくすることができる。また、発注指示の際に発注者情報をサーバへ送信することにより、サーバにおいて発注者を識別した上で受注することができるので、セキュリティが向上する。また、記録媒体に記録された受注情報を閲覧することにより、ユーザが自らの発注内容を確認することができるので、利便性が向上する。また、識別情報が一致した場合にのみ携帯電話機から画像形成装置へ発注者情報を送信させることにより、セキュリティをさらに向上させることができる。
【発明を実施するための最良の形態】
【００１７】
図１は、本発明の実施の形態による画像形成装置が適用された商品発注システムの一例を示したブロック図であり、画像形成装置の一例としてデジタル複合機１が示されている。この商品発注システムは、インターネットＮ１に接続されたデジタル複合機１及びサーバ２００と、デジタル複合機１に対して無線通信が可能な携帯電話機１００とからなる。
【００１８】
この携帯電話機１００は、商品に付されているＱＲコード３００やＲＦＩＤ(Radio Frequency Identification)タグ４００からデータを読取可能であり、読み取ったデータを赤外線通信によりデジタル複合機１に送信することができる。デジタル複合機１が携帯電話機１００から受信するデータには、インターネットＮ１上のサーバ２００を指定するサーバ指定情報としてのＵＲＬ(Uniform Resource Locator)が含まれている。これにより、デジタル複合機１は、携帯電話機１００から受信したＵＲＬに基づいて、インターネットＮ１上のサーバ２００へアクセスすることができる。
【００１９】
サーバ２００には、ＱＲコード３００やＲＦＩＤタグ４００が付されている商品に関する商品情報２０１が保持されている。この商品情報２０１は、商品に関する説明、商品の画像又は商品の価格などからなる。ここで、１つのサーバ２００に複数の商品情報２０１が記憶されていてもよいし、複数のサーバ２００ごとに異なる商品情報２０１が記憶されていてもよい。
【００２０】
ユーザは、携帯電話機１００で商品に付されているＱＲコード３００やＲＦＩＤタグ４００からデータを読み取り、赤外線通信を用いてデジタル複合機１へ送信した後、デジタル複合機１を操作して、そのデータにより指定されるサーバ２００へアクセスすることができる。そして、当該商品に対応する商品情報２０１をサーバ２００からデジタル複合機１に受信して、その商品情報２０１をデジタル複合機１で用紙に印刷することができる。
【００２１】
このようにして印刷された用紙で商品情報２０１を閲覧することにより、携帯電話機１００の表示画面に商品情報２０１を表示させる場合と比べて、ユーザにとって商品情報２０１を見やすくすることができる。商品情報２０１を閲覧した結果、ユーザがその商品の発注を希望する場合には、デジタル複合機１を操作することにより、インターネットＮ１を介してサーバ２００へ商品の発注を行うことができる。
【００２２】
図２は、デジタル複合機１の一例を示したブロック図である。このデジタル複合機１には、ＭＰＵ(Micro Processing Unit)２と、このＭＰＵ２にバス３を介して接続されたＲＯＭ(Read Only Memory)４、ＳＲＡＭ(Static Random Access Memory)５、ＮＣＵ(Network Control Unit)６、モデム７、コーデック８、画像信号処理回路９、メモリコントローラ１０、メモリコントローラ１１、プリント画像処理回路１２、プリンタ機構制御回路１３、表示部１４、操作部１５、赤外線通信部１６及びＮＩＣ(Network Interface Card)１７が備えられている。ＲＯＭ４には、ＭＰＵ２が実行するコンピュータプログラムが格納されている。ＳＲＡＭ５には、ＭＰＵ２によるプログラム実行時に必要なデータが書き込まれる。
【００２３】
画像信号処理回路９は、ＣＣＤ(Charge Coupled Device)９Ａの出力信号に基づいて画像データを生成する回路であり、生成された画像データはコーデック８へ出力される。ＣＣＤ９Ａは、原稿画像を光学的に読み取るための原稿読取手段であり、原稿に向けて照射された光の反射光を受光し、その受光量に応じた電気信号を出力する。画像信号処理回路９は、この電気信号に基づいて、ピクセルごとの輝度情報又は色情報で構成されるビットマップデータとして画像データを生成している。
【００２４】
コーデック８は、ランレングス法やハフマン符号化法などを用いて、画像データを圧縮又は伸張する処理を行う。画像信号処理回路９からコーデック８に入力された画像データは、当該コーデック８により原稿１ページ分ごとに圧縮処理が行われ、メモリコントローラ１０を介してＳＤＲＡＭ(Synchronous Dynamic Random Access Memory)からなる画像メモリ１８に格納される。
【００２５】
ＮＣＵ６は、電話回線などの公衆通信回線Ｎ２への接続制御を行っている。当該デジタル複合機１がファクシミリ送信を行う場合、ＮＣＵ６が、公衆通信回線Ｎ２へ発呼信号を送出し、更に送信先の電話番号を含む選択信号を送出することによって発呼が行われ、相手方のファクシミリ装置との接続状態が確立される。この接続状態は、ファクシミリ送信の終了後にＮＣＵ６によって切断される。一方、ファクシミリ受信を行う場合には、公衆通信回線Ｎ２からの呼出信号に応じて、ＮＣＵ６が回線を接続することにより、相手方のファクシミリ装置との接続状態が確立される。
【００２６】
画像メモリ１８に格納された画像データは、メモリコントローラ１０により読み出される。ファクシミリ送信時には、読み出された画像データがモデム７により音声信号に変調され、ＮＣＵ６から公衆通信回線Ｎ２を介して相手方のファクシミリ装置へ送信される。つまり、ＮＣＵ６及びモデム７は、ユーザの送信操作に基づいて画像データをファクシミリ送信するファクシミリ送信手段である。
【００２７】
一方、ファクシミリ受信時には、相手方のファクシミリ装置から送出された音声信号を公衆通信回線Ｎ２を介してＮＣＵ６が受信する。ＮＣＵ６で受信された音声信号は、モデム７によって復調され、画像データとして画像メモリ１８に格納される。
【００２８】
ファクシミリ受信時に画像メモリ１８に格納された画像データは、メモリコントローラ１０により１ページ分の画像データごとに読み出される。これらの画像データは、コーデック８で伸張され、メモリコントローラ１１を介してページメモリ１９に格納される。ページメモリ１９は、ＳＤＲＡＭからなり、ページごとのビットマップデータに展開された画像データを保持している。
【００２９】
メモリコントローラ１１によってページメモリ１９から読み出された画像データは、１ページごとにプリント画像処理回路１２へ出力される。プリント画像処理回路１２は、入力された各ページの画像データを複数ラインのラインデータに分割し、画像データを１ラインごとにＬＥＤ(Light Emitting Diode)プリントヘッド２０へ出力する。ＬＥＤプリントヘッド２０は、多数のＬＥＤをライン状に配列したＬＥＤアレイを備えており、画像データに基づく光を１ラインごとに照射する。
【００３０】
プリンタ機構制御回路１３は、感光体ドラム２１、帯電器２２、現像装置２３、転写装置２４及び定着装置２５などからなるプリンタ機構１３Ａの動作を制御する。このプリンタ機構１３Ａは、シアン、マゼンタ、イエロー及びブラックの各色トナーを用いて、用紙上にカラー画像を記録することができる画像形成手段である。感光体ドラム２１は、表面に感光体層が形成された円筒状のドラムからなり、印刷時には、感光体ドラム２１の表面が帯電器２２により一様に帯電される。この帯電された感光体ドラム２１の表面に、画像データに基づく光がＬＥＤプリントヘッド２０から照射されることにより、感光体ドラム２１の表面に静電潜像が形成される。
【００３１】
現像装置２３は、静電潜像が形成された感光体ドラム２１の表面にトナーを付着させることにより、当該表面にトナー像を形成させる。感光体ドラム２１の表面に形成されたトナー像は、転写装置２４により、用紙収容部（不図示）から送り出された用紙に転写される。このようにしてトナー像が転写された用紙に対して、定着装置２５により加熱処理及び加圧処理が施されることにより、画像データに基づく画像が用紙上に記録される。このデジタル複合機１では、ＣＣＤ９Ａで読み取った原稿の画像データに基づいて、プリンタ機構１３Ａで用紙に画像を記録することにより、原稿画像のコピーを行うこともできる。
【００３２】
表示部１４は、ＬＣＤ(Liquid Crystal Display)からなり、表示画面に各種の表示を行うことができる。操作部１５には、プリント機構による画像形成動作を開始させるためのプリントキー１５Ａ、電話番号の入力時などに数字を入力するためのテンキー１５Ｂ、商品の発注を指示するための注文キー１５Ｃ、及び、商品の発注を中止させるためのキャンセルキー１５Ｄが含まれる。ここで、注文キー１５Ｃは、ユーザ操作に基づいて商品の発注を指示する発注指示手段である。
【００３３】
赤外線通信部１６は、発光素子１６Ａ及び受光素子１６Ｂを備えており、赤外線の照射及び受光による光学的な非接触近距離通信によって、携帯電話機１００などの赤外線通信機能を備えた端末装置との間でデータの送受信を行うことができる。この赤外線通信部１６は、ＩｒＤＡ(Infrared Data Association)規格に基づいて、通信距離１ｍ程度の近距離で赤外線通信を行うことができる。
【００３４】
ＮＩＣ１７は、インターネットＮ１に対する信号の入出力を制御している。このデジタル複合機１は、赤外線通信部１６で受信したデータなどの各種データをＮＩＣ１７を介してインターネットＮ１へ出力することができる。また、ＣＣＤ９Ａで読み取った原稿の画像データをＮＩＣ１７を介してＬＡＮ（不図示）内の他の端末装置へ送信することができる。さらに、他の端末装置からＬＡＮを介して受信した画像データに基づいて、プリンタ機構１３Ａで用紙に画像を記録することができる。つまり、デジタル複合機１は、ネットワーク接続されたスキャナ装置やプリンタ装置として機能させることもできる。
【００３５】
図３は、携帯電話機１００の一例を示したブロック図である。この携帯電話機１００には、ＭＰＵ１０１と、このＭＰＵ１０１に接続されたＲＡＭ１０２、セルラー通信部１０３、ＬＣＤドライバ１０４、操作部１０５、画像処理回路１０６、ＲＦＩＤ通信部１０７、赤外線通信部１０８及びベースバンド処理回路１０９が備えられている。ＲＡＭ１０２には、当該携帯電話機１００に割り当てられた識別情報である端末ＩＤ１０２Ａと、サーバ２００が商品の発注者を識別するために必要としている発注者情報１０２Ｂとが記憶されている。発注者情報１０２Ｂには、ユーザの名前、住所及びクレジットカード番号、並びに、当該携帯電話機１００の電話番号などが含まれる。
【００３６】
セルラー通信部１０３は、通信用アンテナ１０３Ａを介して基地局との間で電波の送受信を行うことにより、通話音の送受信を行っている。ＬＣＤドライバ１０４は、表示部としてのＬＣＤ１０４Ａに駆動信号を供給している。操作部１０５は、複数のキーを備えており、ユーザ操作に基づく信号をＭＰＵ１０１に入力している。
【００３７】
画像処理回路１０６は、ＣＣＤ１０６Ａの出力信号に基づいて画像データを生成する回路である。ＣＣＤ１０６Ａは、被写体を撮影するための撮像装置であり、商品に付されているＱＲコード３００をＣＣＤ１０６Ａで撮影することができる。画像処理回路１０６及びＣＣＤ１０６Ａは、商品に付されているＱＲコード３００からサーバ２００のＵＲＬ(Uniform Resource Locator)を光学的に取得するサーバ指定情報取得手段である。これに対して、ＲＦＩＤ通信部１０７は、電波を発信し、その反射波を受信することにより、商品に付されているＲＦＩＤタグ４００からサーバ２００のＵＲＬを電磁的に取得するサーバ指定情報取得手段である。
【００３８】
赤外線通信部１０８は、デジタル複合機１の赤外線通信部１６と同様に発光素子１０８Ａ及び受光素子１０８Ｂを備えており、ＩｒＤＡ規格に基づいて光学的な非接触近距離通信を行うことにより、デジタル複合機１との間でデータの送受信を行うことができる。ベースバンド処理回路１０９は、マイク１０９Ａからの入力信号やスピーカ１０９Ｂへの出力信号を処理するための回路である。この携帯電話機１００を用いて通話を行う際には、ユーザの音声がマイク１０９Ａから入力され、相手方電話機からの音声がスピーカ１０９Ｂから出力される。
【００３９】
図４は、商品発注時の携帯電話機１００による処理の一例を示したフローチャートである。ユーザが携帯電話機１００を商品に近付けて操作部１０５を操作することにより、ＣＣＤ１０６ＡによるＱＲコード３００の読取指示、又は、ＲＦＩＤ通信部１０７によるＲＦＩＤタグ４００の読取指示が行われると（ステップＳ１０１でＹｅｓ）、商品に付されているＱＲコード３００又はＲＦＩＤタグ４００からＵＲＬを読み取るための処理が行われる（ステップＳ１０２）。
【００４０】
その結果、ＵＲＬを読み取ることができなかった場合には（ステップＳ１０３でＮｏ）、その旨がＬＣＤ１０４Ａに表示され（ステップＳ１１１）、読取指示に対する処理が終了する。一方、ＵＲＬを読み取ることができた場合には（ステップＳ１０３でＹｅｓ）、読み取ったＵＲＬがＲＡＭ１０２に記憶されるとともに（ステップＳ１０４）、ＵＲＬを読み取ることができた旨がＬＣＤ１０４Ａに表示される（ステップＳ１０５）。
【００４１】
このようにして商品に付されているＱＲコード３００又はＲＦＩＤタグ４００からＵＲＬを読み取った後、ユーザは、携帯電話機１００をデジタル複合機１に近付けて操作部１０５を操作することにより、読み取ったＵＲＬをデジタル複合機１へ送信する指示を行うことができる（ステップＳ１０６でＹｅｓ）。これにより、読み取ったＵＲＬ及び端末ＩＤ１０２Ａが、赤外線通信によりデジタル複合機１へ送信される（ステップＳ１０７）。
【００４２】
その後、端末ＩＤ１０２Ａ及びＵＲＬを受信したデジタル複合機１において、商品の発注を行うための操作が行われた場合には、デジタル複合機１から携帯電話機１００へ発注者情報１０２Ｂの要求信号が送信される。この要求信号には、ＵＲＬとともにデジタル複合機１へ送信した端末ＩＤ１０２Ａが含まれるものとする。発注者情報１０２Ｂの要求信号をデジタル複合機１から受信すると（ステップＳ１０８でＹｅｓ）、その要求信号に含まれる端末ＩＤがＲＡＭ１０２に記憶されている端末ＩＤ１０２Ａと一致しているか否かが判定される（ステップＳ１０９）。その結果、端末ＩＤが一致していれば（ステップＳ１０９でＹｅｓ）、ＲＡＭ１０２に記憶されている発注者情報１０２Ｂが読み出されてデジタル複合機１へ送信される（ステップＳ１１０）。
【００４３】
図５は、デジタル複合機１の発注制御部４０の一構成例を示した機能ブロック図である。発注制御部４０は、携帯電話機１００から受信したＵＲＬに基づいてサーバ２００にアクセスすることにより、サーバ２００から商品情報２０１を取得するとともに、ユーザによる発注指示に基づいてサーバ２００に商品を発注する処理を行う。この発注制御部４０は、サーバアクセス部４１、商品情報取得部４２、発注者情報要求部４３、商品発注部４４及び受注情報取得部４５によって構成され、ここでは、ＭＰＵ２により実行されるコンピュータプログラムとして実現されるものとする。
【００４４】
サーバアクセス部４１は、携帯電話機１００から赤外線通信部１６を介して受信したＵＲＬに基づいて、そのＵＲＬにより規定されるインターネットＮ１上のサーバ２００へアクセスするための処理を行う。商品情報取得部４２は、インターネットＮ１を介してサーバ２００から商品情報２０１を取得する。商品情報取得部４２がサーバ２００から取得した商品情報２０１は、プリンタ機構１３Ａにより用紙に印刷される。
【００４５】
発注者情報要求部４３は、赤外線通信部１６を介して携帯電話機１００へ発注者情報１０２Ｂの要求信号を送信する。その結果、携帯電話機１００から赤外線通信部１６を介して発注者情報１０２Ｂが取得され、その後にユーザが操作部１５を操作することにより商品の発注指示が行われれば、商品発注部４４がインターネットＮ１を介してサーバ２００に発注者情報１０２Ｂを送信することにより、商品を発注するための処理を行う。このとき、商品発注部４４は、ＳＳＬ(Secure Socket Layer)などの秘匿性の高い送信方式で発注者情報１０２Ｂをサーバ２００に送信するものとする。
【００４６】
その結果、サーバ２００において当該商品の受注が行われ、受注された商品に関する受注情報がインターネットＮ１を介して受注情報取得部４５により取得される。ここでは、受注情報には、受注された商品の商品名及び価格などが含まれるものとする。受注情報取得部４５がサーバ２００から取得した受注情報は、プリンタ機構１３Ａにより用紙に印刷される。
【００４７】
図６及び図７は、商品発注時のデジタル複合機１による処理の一例を示したフローチャートである。携帯電話機１００から端末ＩＤ１０２Ａ及びＵＲＬが赤外線通信により送信され、それらのデータをデジタル複合機１が受信すると（ステップＳ２０１）、プリントキー１５Ａ又は注文キー１５Ｃを操作すべき旨が表示部１４に表示される。このとき、赤外線通信部１６は、携帯電話機１００からサーバ指定情報としてＵＲＬを受信するサーバ指定情報受信手段、及び、携帯電話機１００から識別情報として端末ＩＤ１０２Ａを受信する識別情報受信手段として機能する。
【００４８】
ユーザがプリントキー１５Ａを操作した場合には（ステップＳ２０２でＹｅｓ）、受信しているＵＲＬに基づいてサーバアクセス部４１がインターネットＮ１上のサーバ２００へアクセスし（ステップＳ２０３）、商品情報取得部４２がサーバ２００から商品情報２０１を取得するための処理を行う。
【００４９】
その結果、インターネットＮ１を介してサーバ２００から商品情報２０１を受信することができれば（ステップＳ２０４でＹｅｓ）、受信した商品情報２０１がビットマップデータとしてページメモリ１９に記憶され、その商品情報２０１がプリンタ機構１３Ａにおいて用紙に印刷されるとともに（ステップＳ２０５）、当該商品情報２０１が表示部１４に表示される（ステップＳ２０９）。一方、商品情報２０１が受信できない場合には（ステップＳ２０４でＮｏ）、表示部１４にその旨を表すエラー表示が行われる（ステップＳ２２２）。
【００５０】
ユーザが注文キー１５Ｃを操作した場合には（ステップＳ２０６でＹｅｓ）、受信しているＵＲＬに基づいてサーバアクセス部４１がインターネットＮ１上のサーバ２００へアクセスし（ステップＳ２０７）、商品情報取得部４２がサーバ２００から商品情報２０１を取得するための処理を行う。この場合には、商品情報２０１を受信することができたときに（ステップＳ２０８でＹｅｓ）、受信した商品情報２０１が用紙に印刷されることなく、その商品情報２０１が表示部１４に表示される（ステップＳ２０９）。一方、商品情報２０１が受信できない場合には（ステップＳ２０８でＮｏ）、表示部１４にその旨を表すエラー表示が行われる（ステップＳ２２２）。
【００５１】
商品情報２０１が表示される際、表示部１４には、注文キー１５Ｃ又はキャンセルキー１５Ｄを操作すべき旨が表示される。このとき、ユーザがキャンセルキー１５Ｄを操作した場合には（ステップＳ２２０でＹｅｓ）、その時点で商品の発注が中止される。一方、ユーザが注文キー１５Ｃを操作した場合には（ステップＳ２１０でＹｅｓ）、発注者情報要求部４３が、受信している端末ＩＤ１０２Ａを含む信号を赤外線通信で携帯電話機１００へ送信することにより、発注者情報１０２Ｂを要求するための処理を行う（ステップＳ２１１）。
【００５２】
その結果、発注者情報１０２Ｂを受信することができれば（ステップＳ２１２でＹｅｓ）、その発注者情報１０２ＢがＳＲＡＭ５に記憶されるとともに（ステップＳ２１３）、表示部１４に表示される（ステップＳ２１４）。このとき、赤外線通信部１６は、発注者情報１０２Ｂを携帯電話機１００から受信する発注者情報受信手段として機能する。
【００５３】
その後、ユーザが表示された発注者情報１０２Ｂを確認し、その内容に間違いがなければ、注文キー１５Ｃを操作することにより（ステップＳ２１５でＹｅｓ）、商品発注部４４がサーバ２００へ発注者情報１０２Ｂを送信し、商品を発注するための処理が行われる（ステップＳ２１６）。このとき、ＮＩＣ１７は、発注指示に基づいて発注者情報１０２Ｂをサーバ２００へ送信する発注者情報送信手段として機能する。一方、発注者情報１０２Ｂの内容に間違いがある場合には、キャンセルキー１５Ｄを操作することにより（ステップＳ２２１でＹｅｓ）、商品の発注を中止させることができる。
【００５４】
商品を発注するための処理が行われた後（ステップＳ２１６）、サーバ２００において当該商品の受注が行われ、受注された商品に関する受注情報を受注情報取得部４５が受信した場合には（ステップＳ２１７でＹｅｓ）、受信した受注情報がビットマップデータとしてページメモリ１９に記憶され、その受注情報がプリンタ機構１３Ａにおいて用紙に印刷される（ステップＳ２１８）。このとき、ＮＩＣ１７は、発注者情報１０２Ｂを受信したサーバ２００によって生成される受注情報を受信する受注情報受信手段として機能する。
【００５５】
ＳＲＡＭ５に記憶されている発注者情報１０２Ｂは、受注情報の印刷が終了した後、ＳＲＡＭ５から消去される（ステップＳ２１９）。一方、受注情報取得部４５が受注情報を受信することができない場合には（ステップＳ２１７でＮｏ）、表示部１４にその旨を表すエラー表示が行われる（ステップＳ２２２）。
【００５６】
図８は、商品発注時のサーバ２００による処理の一例を示したフローチャートである。デジタル複合機１からインターネットＮ１を介してサーバ２００のＵＲＬにアクセスがあった場合、サーバ２００は、当該ＵＲＬに対応する商品情報２０１をデジタル複合機１へ送信する（ステップＳ３０１）。このようにして送信された商品情報２０１がデジタル複合機１において用紙に印刷されることにより、ユーザは、その用紙に印刷されている商品情報２０１を閲覧して商品の発注を行うことができる。
【００５７】
ユーザが、デジタル複合機１の操作部１５に対して商品を発注するための操作を行うことにより、携帯電話機１００から取得した発注者情報１０２Ｂがデジタル複合機１からサーバ２００に受信されると（ステップＳ３０２でＹｅｓ）、発注者情報１０２Ｂに基づいて発注者が識別され（ステップＳ３０３）、発注された商品を受注するための処理が行われる（ステップＳ３０４）。そして、受注した内容を表す受注情報がサーバ２００からデジタル複合機１へ送信され（ステップＳ３０５）、この受信情報がデジタル複合機１において用紙に印刷される。
【００５８】
本実施の形態では、発注指示の際に発注者情報１０２Ｂをサーバ２００へ送信することにより、サーバ２００において発注者を識別することができる。したがって、サーバ２００において発注者を識別した上で受注することができるので、セキュリティが向上する。
【００５９】
また、発注者情報１０２Ｂを受信したサーバ２００が受注を行った後、その受注情報をデジタル複合機１へ送信することにより、その受注情報を用紙に記録することができる。したがって、用紙に記録された受注情報を閲覧することにより、ユーザが自らの発注内容を確認することができるので、利便性が向上する。
【００６０】
さらに、携帯電話機１００から受信した端末ＩＤ１０２Ａを含む信号をデジタル複合機１から携帯電話機１００へ送信して、端末ＩＤ１０２Ａが一致した場合にのみ携帯電話機１００からデジタル複合機１へ発注者情報１０２Ｂを送信させることができる。したがって、ＵＲＬを送信した携帯電話機１００とは異なる携帯電話機から発注者情報１０２Ｂがデジタル複合機１へ送信されるのを防止できるので、セキュリティが向上する。
【００６１】
上記実施の形態では、商品に付されたＱＲコード３００やＲＦＩＤタグ４００から携帯電話機１００でデータを読み取るような構成について説明したが、このような構成に限らず、商品に関連する他の媒体、例えばカタログなどの広告媒体に付されているＱＲコード３００やＲＦＩＤタグ４００から携帯電話機１００でデータを読み取るような構成であってもよい。また、ＱＲコード３００に限らず、他の二次元コード又は一次元コードを採用することも可能である。
【００６２】
デジタル複合機１と携帯電話機１００との間で行われる通信は、赤外線通信のような光学的な非接触近距離通信に限らず、Bluetooth（登録商標）などの電磁的な非接触近距離通信であってもよい。また、デジタル複合機１と携帯電話機１００との間で非接触通信を行うような構成に限らず、デジタル複合機１及び携帯電話機１００をケーブルで接続して通信を行うような構成であってもよい。
【００６３】
上記実施の形態では、画像形成装置の一例としてデジタル複合機１について説明したが、本発明は、デジタル複合機に限らず、原稿読取手段を備えていない画像形成装置にも適用可能である。
【図面の簡単な説明】
【００６４】
【図１】本発明の実施の形態による画像形成装置が適用された商品発注システムの一例を示したブロック図であり、画像形成装置の一例としてデジタル複合機が示されている。
【図２】デジタル複合機の一例を示したブロック図である。
【図３】携帯電話機の一例を示したブロック図である。
【図４】商品発注時の携帯電話機による処理の一例を示したフローチャートである。
【図５】デジタル複合機の発注制御部の一構成例を示した機能ブロック図である。
【図６】商品発注時のデジタル複合機による処理の一例を示したフローチャートである。
【図７】商品発注時のデジタル複合機による処理の一例を示したフローチャートであり、図６の続きを示している。
【図８】商品発注時のサーバによる処理の一例を示したフローチャートである。
【符号の説明】
【００６５】
１  デジタル複合機
２  ＭＰＵ
１３Ａ  プリンタ機構
１４  表示部
１５  操作部
１５Ａ  プリントキー
１５Ｃ  注文キー
１５Ｄ  キャンセルキー
１６  赤外線通信部
１７  ＮＩＣ
４０  発注制御部
４１  サーバアクセス部
４２  商品情報取得部
４３  発注者情報要求部
４４  商品発注部
４５  受注情報取得部
１００  携帯電話機
１０２Ａ  端末ＩＤ
１０２Ｂ  発注者情報
１０７  ＲＦＩＤ通信部
１０８  赤外線通信部
２００  サーバ
２０１  商品情報
３００  ＱＲコード
４００  ＲＦＩＤタグ
Ｎ１  インターネット
【図１】
2008017221.tif 000003
【図２】
2008017221.tif 000004
【図３】
2008017221.tif 000005
【図４】
2008017221.tif 000006
【図５】
2008017221.tif 000007
【図６】
2008017221.tif 000008
【図７】
2008017221.tif 000009
【図８】
2008017221.tif 000010